(57)【要約】【課題】磁気タイプの機構を分散しなければならない環境で使用することができる鋼鉄心軸を有する従来の計時器歯車セットの一代替形態を提供すること【解決手段】枢動軸（Ｄ）を中心として少なくとも１つの尖軸（３）を含むシャフト状部分（２）を備える計時器構成部品（１）であって、このシャフト状部分（２）を形成する材料は、少なくとも銀およびパラジウムを含有し、かつ４５０ＨＶよりも大きなビッカース（Ｖｉｃｋｅｒｓ）硬さを有する非磁性合金である計時器構成部品（１）。【選択図】図１
2020008573.tif 000002
【特許請求の範囲】
【請求項１】
枢動軸（Ｄ）を中心として少なくとも１つの尖軸（３）、を含むシャフト状部分（２）を備える計時器構成部品（１）であって、前記シャフト状部分（２）を形成する材料は、少なくとも銀およびパラジウムを含有し、かつ４５０ＨＶよりも大きなビッカース（Ｖｉｃｋｅｒｓ）硬さを有する非磁性合金であることを特徴とする計時器構成部品（１）。
【請求項２】
完全に非磁性であることを特徴とする、請求項１に記載の計時器構成部品（１）。
【請求項３】
前記シャフト状部分（２）は、前記枢動軸（Ｄ）の方向に前記計時器構成部品（１）の全長の端から端まで伸びることを特徴とする、請求項１に記載の計時器構成部品（１）。
【請求項４】
前記シャフト状部分（２）は、非磁性の少なくとも１つの追加要素（４；４０）を支えることを特徴とする、請求項１に記載の計時器構成部品（１）。
【請求項５】
各前記追加要素（４；４０）を形成する前記材料は、少なくとも銀およびパラジウムを含有し、かつ４５０ＨＶよりも大きなビッカース硬さを有する非磁性合金であることを特徴とする、請求項４に記載の計時器構成部品（１）。
【請求項６】
各前記追加要素（４；４０）を形成する前記材料は、前記シャフト状部分（２）を形成する前記材料と同じであることを特徴とする、請求項４に記載の計時器構成部品（１）。
【請求項７】
少なくとも１つの前記追加要素（４；４０）を形成する前記材料は、セラミックであることを特徴とする、請求項４に記載の計時器構成部品（１）。
【請求項８】
少なくとも１つの前記追加要素（４；４０）を形成する前記材料は、ケイ素および／もしくは二酸化ケイ素、またはガラス状金属、またはアモルファスもしくは実質的にアモルファスの金属であることを特徴とする、請求項４に記載の計時器構成部品（１）。
【請求項９】
少なくとも銀およびパラジウムを含有する前記非磁性合金は、質量で５０％〜６０％のパラジウム、および２５％〜４０％の銀を含有することを特徴とする、請求項１に記載の計時器構成部品（１）。
【請求項１０】
少なくとも銀およびパラジウムを含有する前記非磁性合金は、質量で２５％〜３５％のパラジウムおよび６５％〜７５％の銀を含有し、少なくとも銀およびパラジウムの質量の合計は１００％以下であることを特徴とする、請求項１に記載の計時器構成部品（１）。
【請求項１１】
少なくとも銀およびパラジウムを含有する前記非磁性合金は、銀、パラジウム、および銅の非磁性三元合金であり、質量で２０％〜５０％のパラジウム、および２０％〜５０％の銀、および２０％〜４０％の銅を含有し、銀、銅、およびパラジウムの質量の合計は１００％以下であることを特徴とする、請求項１に記載の計時器構成部品（１）。
【請求項１２】
前記非磁性三元合金は、質量で３６％〜４０％のパラジウム、３８％〜４２％の銀、および１９％〜２３％の銅を含有し、銀、パラジウム、および銅の質量の合計は１００％以下であること、ならびに前記合金は４５０ＨＶ〜５１０ＨＶの間のビッカース硬さを有することを特徴とする、請求項１１に記載の計時器構成部品（１）。
【請求項１３】
少なくとも銀およびパラジウムを含有する前記非磁性合金は、質量で少なくとも５０％のパラジウムまたは少なくとも８０％の銀を含有し、前記合金成分の重量の合計は１００％に等しいことを特徴とする、請求項１に記載の計時器構成部品（１）。
【請求項１４】
少なくとも銀およびパラジウムを含有する前記非磁性合金は、９５ＧＰａ〜１０５ＧＰａの間の弾性係数を有することを特徴とする、請求項１に記載の計時器構成部品（１）。
【請求項１５】
少なくとも銀およびパラジウムを含有する前記非磁性合金は、質量で０％〜２％のインジウムを含有し、前記合金成分の重量の合計は１００％に等しいことを特徴とする、請求項１に記載の計時器構成部品（１）。
【請求項１６】
少なくとも銀およびパラジウムを含有する前記非磁性合金は、質量で０％〜２％のスズを含有し、前記合金成分の重量の合計は１００％に等しいことを特徴とする、請求項１に記載の計時器構成部品（１）。
【請求項１７】
少なくとも銀およびパラジウムを含有する前記非磁性合金は、質量で０％〜１．０％のニッケルを含有し、前記合金成分の重量の合計は１００％に等しいことを特徴とする、請求項１に記載の計時器構成部品（１）。
【請求項１８】
少なくとも銀およびパラジウムを含有する前記非磁性合金は、質量で０％〜２％の白金を含有し、前記合金成分の重量の合計は１００％に等しいことを特徴とする、請求項１に記載の計時器構成部品（１）。
【請求項１９】
少なくとも銀およびパラジウムを含有する前記非磁性合金は、質量で０％〜０．１％の亜鉛を含有し、前記合金成分の重量の合計は１００％に等しいことを特徴とする、請求項１に記載の計時器構成部品（１）。
【請求項２０】
少なくとも銀およびパラジウムを含有する前記非磁性合金は、質量で０．０１％〜０．０３％のホウ素を含有し、前記合金成分の重量の合計は１００％に等しいことを特徴とする、請求項１に記載の計時器構成部品（１）。
【請求項２１】
少なくとも銀およびパラジウムを含有する前記非磁性合金は、質量で合計１％以下の金、および／または、白金および／または、ルテニウムおよび／または、レニウムを含有し、前記合金成分の質量の合計は１００％に等しいことを特徴とする、請求項１に記載の計時器構成部品（１）。
【請求項２２】
てんぷであり、前記シャフト状部分（２）上で、少なくとも１つのリム（４）および少なくとも１つのローラ（４０）を支えることを特徴とする、請求項１に記載の計時器構成部品（１）。
【請求項２３】
計時器振動子（１００）であって、請求項１に記載の少なくとも１つの計時器構成部品（１）を含む計時器振動子（１００）。
【請求項２４】
計時器ムーブメント（２００）であって、請求項２３に記載の少なくとも１つの振動子（１００）を含む計時器ムーブメント（２００）。
【請求項２５】
計時器（１０００）であって、請求項２４に記載の少なくとも１つのムーブメント（２００）を含む計時器（１０００）。
【請求項２６】
ウオッチであることを特徴とする請求項２５に記載の計時器（１０００）。
【発明の詳細な説明】
【技術分野】
【０００１】
本発明は、枢動軸を中心として少なくとも１つの尖軸を含むシャフト状部分を備える計時器構成部品に関する。
【０００２】
本発明はまた、少なくとも１つのそのような計時器構成部品を備える計時器振動子に関する。
【０００３】
本発明はまた、少なくとも１つのそのような振動子および／または少なくとも１つのそのような計時器構成部品を含む計時器ムーブメントに関する。
【０００４】
本発明はまた、少なくとも１つのそのようなムーブメント、および／または少なくとも１つのそのような振動子、および／または少なくとも１つのそのような計時器構成部品を含む計時器に関する。
【０００５】
本発明は、計時器構成部品および歯車セットの分野に関し、より詳細には、振動子または計時器ムーブメントに備わった歯車セットを作成する分野に関する。
【背景技術】
【０００６】
非磁性計時器歯車セットの作成は、型にはまったものではない。しかしながら、磁気の法則に依存するさまざまなタイプのムーブメントでは、詳細には、特にパワーリザーブに非常に不利益な従来のレバー／タイプの停止具機構を不要にすることが求められる振動子では、摩擦を低減する、または取り除く必要がある。
【発明の概要】
【発明が解決しようとする課題】
【０００７】
本発明は、磁気タイプの機構を分散しなければならない環境で使用することができる鋼鉄心軸を有する従来の計時器歯車セットの一代替形態を提供することを提案する。
【課題を解決するための手段】
【０００８】
この目的を達成するために、本発明は、請求項１に記載の、枢動軸を中心とする少なくとも１つの尖軸を含むシャフト状部分を備える計時器構成部品に関する。
【０００９】
本発明はまた、少なくとも１つのそのような計時器構成部品を備える計時器振動子に関する。
【００１０】
本発明はまた、少なくとも１つのそのような振動子および／または少なくとも１つのそのような計時器構成部品を含む計時器ムーブメントに関する。
【００１１】
本発明はまた、少なくとも１つのそのようなムーブメント、および／または少なくとも１つのそのような振動子、および／または少なくとも１つのそのような計時器構成部品を含む計時器に関する。
【００１２】
本発明の他の特徴および利点は、添付図面を参照して以下の詳細な記述を読むと明らかになるであろう。
【図面の簡単な説明】
【００１３】
【図１】回転軸上の遠位端に２つの尖軸を含む貫通シャフト状部分を含む、この場合はてんぷを形成する歯車セットである、本発明による計時器構成部品の概略の側面図を表し、このシャフト状部分は、第１の肩部の上で、シャフト状部分の最大直径の領域を形成するカラーの第１の側の上に横方向に支持されるてんぷリムを支え、シャフト状部分の最大直径の領域はまた、第１の側の反対側にあるカラーの第２の側の上で支持される第２の肩部の上で、振り石を支えるてんぷローラを支える。
【図２】１つのそのような歯車セットを組み入れる振動子を含む計時器ムーブメントを含むウオッチを表す構成図である。
【発明を実施するための形態】
【００１４】
特に指定のない限り、本記述の組成は、重量パーセント組成である。
【００１５】
本発明は、枢動軸Ｄを中心とした少なくとも１つの尖軸３を含むシャフト状部分２を備える計時器構成部品１に，とりわけ歯車セットに関する。
【００１６】
このシャフト状部分の材料に関しては、シャフト状部分は、銅／ベリリウム合金のビッカース（Ｖｉｃｋｅｒｓ）硬さ３８０ＨＶ＋／−２０と２０ＡＰ鋼鉄または類似のもののビッカース硬さ７４０ＨＶ＋／−３０の間のビッカース硬さを有することが好ましい。
【００１７】
本発明によれば、このシャフト状部分２を形成する材料は、少なくとも銀およびパラジウムを含有し、かつ４５０ＨＶよりも大きなビッカース硬さを有する非磁性合金である。
【００１８】
特定の一実施形態では、計時器構成部品１は、完全に非磁性である。
【００１９】
特定の一実施形態では、シャフト状部分２は、枢動軸Ｄの方向に構成要素１の全長の端から端まで伸びる。
【００２０】
より詳細には、シャフト状部分２は、同じく非磁性である少なくとも１つの追加要素４、４０を支える。さらにより詳細には、各追加要素４、４０は、非磁性である。さらにより詳細には、各前記追加要素４、４０を形成する材料は、４５０ＨＶよりも大きなビッカース硬さを伴う少なくとも銀およびパラジウムを含有する非磁性合金である。
【００２１】
特定の一実施形態では、少なくとも１つの、より詳細にはそれぞれの追加要素４、４０を形成する材料は、シャフト状部分２を形成する材料と同じである。
【００２２】
一変形形態では、少なくとも１つの追加要素４、４０を形成する材料は、セラミックである。
【００２３】
別の変形形態では、少なくとも１つの追加要素４、４０を形成する材料は、ＤＬＣ（ｄｉａｍｏｎｄ−ｌｉｋｅ−ｃａｒｂｏｎ、ダイヤモンド状炭素）およびその他などの、ケイ素および／もしくは二酸化ケイ素、またはガラス状合金、またはアモルファスもしくは実質的にアモルファスの金属などである。
【００２４】
特定の一組成では、シャフト状部分２の、少なくとも銀およびパラジウムを含有するこの非磁性合金は、質量で５０％〜６０％のパラジウムおよび２５％〜４０％の銀を含有する。
【００２５】
別の特定の組成では、シャフト状部分２の、少なくとも銀およびパラジウムを含有するこの非磁性合金は、質量で２５％〜３５％のパラジウムおよび６５％〜７５％の銀を含有し、少なくとも銀およびパラジウムの質量の合計は１００％以下である。
【００２６】
別の特定の組成では、シャフト状部分２の、少なくとも銀およびパラジウムを含有するこの非磁性合金は、質量で少なくとも５０％のパラジウムまたは少なくとも８０％の銀を含有し、前記合金組成の質量の合計は１００％に等しい。その場合、合金を純度から等級づけすることができる。
【００２７】
別の特定の組成では、シャフト状部分２の、少なくとも銀およびパラジウムを含有するこの非磁性合金は、銀、パラジウム、および銅を含有する三元合金であり、質量で２０％〜５０％のパラジウム、および２０％〜５０％の銀、および２０％〜４０％の銅を含有し、銀、銅、およびパラジウムの質量の合計は１００％以下である。銅には、合金の硬度を実質的に高める効果がある。
【００２８】
有利な一変形形態では、この非磁性三元合金は、質量で３６％〜４０％のパラジウム、３８％〜４２％の銀、１９％〜２３％の銅を含有し、銀、パラジウム、および銅の質量の合計は１００％以下である。この非磁性三元合金は、４５０ＨＶ〜５１０ＨＶの間の、より詳細には、４７０ＨＶ〜４９０ＨＶの間のビッカース硬さを有する。したがって、この合金は良好な機械加工性を有し、かつこの合金の機械的挙動は鋼鉄の機械的挙動に近いので、この合金は、任意の輪郭を旋盤で仕上げた計時器構成部品のための有利な材料を形成する。したがって、この合金は、非磁性歯車セットに、または少なくとも非磁性歯車セット心軸に、特により適している。
【００２９】
特定の一変形形態では、少なくとも銀およびパラジウムを含有する合金は、Ｓｗｉｓｓ  Ｃｈｅｍｉｃａｌｓ  Ｏｒｄｉｎａｎｃｅ  ｏｎ  Ｐｒｏｔｅｃｔｉｏｎ  ａｇａｉｎｓｔ  Ｄａｎｇｅｒｏｕｓ  Ｓｕｂｓｔａｎｃｅｓ  ａｎｄ  Ｐｒｅｐａｒａｔｉｏｎｓ（ＣＨｅｍＯ、危険物質に対する保護および準備に関するスイス国化学物質法令）の付属文書３、およびＯｒｄｉｎａｎｃｅ  ｏｎ  Ｒｅｄｕｃｔｉｏｎ  ｏｆ  Ｒｉｓｋｓ  ｆｒｏｍ  Ｃｈｅｍｉｃａｌ  Ｐｒｏｄｕｃｔｓ（ＯＲＲＣｈｉｍ、化学製品からの危険性の低減に関する法令）の付属文書１．１７の下でのＳＶＨＣ（Ｓｕｂｓｔａｎｃｅｓ  ｏｆ  Ｖｅｒｙ  Ｈｉｇｈ  Ｃｏｎｃｅｒｎ、高懸念物質）（ＲＥＡＣＨ規制（ＥＣ）Ｎｏ．１９０７／２００６の付属文書ＸＩＶに列挙された物質）がない。
【００３０】
特定の一変形形態では、シャフト状部分２の、少なくとも銀およびパラジウムを含有する非磁性合金は、９５ＧＰａ〜１０５ＧＰａの間の弾性係数を有する。
【００３１】
特定の一変形形態では、シャフト状部分２の、少なくとも銀およびパラジウムを含有する非磁性合金は、１４×１０-6〜１７×１０-6の間の膨張係数を有する。
【００３２】
特定の一変形形態では、シャフト状部分２の、少なくとも銀およびパラジウムを含有する非磁性合金は、０．３５〜０．３９の間のポアソン比を有する。
【００３３】
一変形形態では、少なくとも銀およびパラジウムを含有するこの非磁性合金は、合金を補強するために、質量で０％〜２％のインジウムを含有し、前記合金成分の質量の合計は１００％に等しい。
【００３４】
一変形形態では、少なくとも銀およびパラジウムを含有するこの非磁性合金は、合金を補強するために、質量で０％〜２％のスズを含有し、前記合金成分の質量の合計は１００％に等しい。
【００３５】
一変形形態では、少なくとも銀およびパラジウムを含有するこの非磁性合金は、質量で０％〜２％の白金を、より詳細には、０％〜０．８％の白金を、さらにより詳細には０％〜０．５％の白金を含有し、前記合金成分の質量の合計は１００％に等しい。
【００３６】
ウオッチの内部で使用するためだけの一変形形態では、少なくとも銀およびパラジウムを含有するこの非磁性合金は、質量で０％〜１．０％のニッケルを含有し、前記合金成分の質量の合計は１００％に等しい。
【００３７】
一変形形態では、少なくとも銀およびパラジウムを含有するこの非磁性合金は、より高い強度および硬さを得るために、質量で０％〜０．１％の亜鉛を含有し、前記合金成分の質量の合計は１００％に等しい。
【００３８】
一変形形態では、少なくとも銀およびパラジウムを含有するこの非磁性合金は、より高い強度および硬さを得るために、質量で０．０１％〜０．０３％のホウ素を含有し、前記合金成分の質量の合計は１００％に等しい。
【００３９】
一変形形態では、少なくとも銀およびパラジウムを含有するこの非磁性合金は、質量で合計１％以下の、変性剤である金、および／または白金、および／またはルテニウム、および／またはレニウムを含有し、前記合金成分の質量の合計は１００％に等しい。
【００４０】
したがって、合金の成分に応じて、５００ＨＶに近い、または５００ＨＶよりも大きな硬度を得ることが可能である。
【００４１】
特定の事例では、図１から分かるように、この計時器構成部品１は、てんぷであり、てんぷのシャフト状部分２上に、それぞれ軸受面５０および６０上で支持された少なくとも１つのリム４および少なくとも１つのローラ４０を支える。
【００４２】
合金を選ぶことにより、非常に小さな直径の、とりわけ７０マイクロメートル未満の尖軸シャンクを作り出すことが可能になる。
【００４３】
本発明はまた、少なくとも１つのそのような計時器構成部品１を備える計時器振動子１００に関する。
【００４４】
本発明はまた、少なくとも１つのそのような振動子１００および／または少なくとも１つのそのような計時器構成部品１を含む計時器ムーブメント２００に関する。
【００４５】
本発明はまた、少なくとも１つのそのようなムーブメント２００、および／または少なくとも１つのそのような振動子１００、および／または少なくとも１つのそのような計時器構成部品１を含む計時器１０００に関する。
【００４６】
より詳細には、この時計１０００はウオッチである。
【００４７】
要するに、計時器歯車セット心軸を作成するために、純度から等級づけしてもよい希少価値の高い材料を選ぶことは、希少価値の高い合金が急速に摩耗することに関連する先入観に反する。上述のそれらの合金の中から少なくとも銀およびパラジウムを含有する合金を選ぶことは、これらの合金が、上述のように非磁性であるが、通常の使用条件で摩耗を示すことがほとんどないので、摩耗の問題に対する驚くべき解決方法を提供する。
【００４８】
当然、上記の記述は、材料費用を低減する追加要素を伴う歯車セットの実施形態に主として焦点を当てているが、一体形の歯車セットのために少なくとも銀およびパラジウムを含有するこれらの合金を使用することもまた、完全に実行可能である。
【００４９】
本発明は、詳細には、振動子歯車セット、クロノグラフ心軸、またはその他のための、小さな直径の非磁性歯車セットを作成するという、依然として困難な問題のよい解決方法を提供する。
【符号の説明】
【００５０】
１  計時器構成部品
２  シャフト状部分
３  尖軸
４  リム、追加要素
４０  ローラ、追加要素
５０、６０  軸受面
１００  計時器振動子
２００  計時器ムーブメント
１０００  計時器
Ｄ  枢動軸
【図１】
2020008573.tif 000003
【図２】
2020008573.tif 000004
【外国語明細書】
2020008573000001.pdf